(57)【要約】      （修正有）【課題】特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供する。【解決手段】アルミニュームなどからなる放熱性の高い押し出し材の構造用組み立て式フレーム材などにも適応できる押し出し材にLED発光体を構成した熱伝導性の良い材質からなる個々に独立したＬＥＤ取り付け台１とＬＥＤからの光を拡散、投光させる導光管１１などから構成されるＬＥＤ発光部を取り付けることにより前記押し出し材をヒートシンクおよび照明灯の箱体６として利用し、1つの独立したLED照明灯を構成。【選択図】図４
2012079673.tif 000002
【特許請求の範囲】
【請求項１】
熱伝導性の良い材質からなるLEDを備えたLED取り付け台とLED取り付け台の間に前記LEDからの光を導き外部に投光する柱状導光管の投光部を備えたことを特徴とするLED照明灯において、前記LED取り付け台からの熱を前記複数のLED取り付け台を接続した押し出し材から放熱することを特徴とするLED照明灯。
【請求項２】
請求項1のLED照明灯において、前記LED取り付け台からの熱を放熱する押し出し材が構造用フレームであることを特徴とするLED照明灯。
【発明の詳細な説明】
【技術分野】
【０００１】
本発明は、LED照明灯として使用される。
【背景技術】
【０００２】
ＬＥＤ照明灯に使われる、LED発光体は、発光時における熱により発光体性能の劣化などがおきる、高輝度ＬＥＤほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立て式フレーム材などにも適応できる押し出し材にLED発光体を構成した熱伝導性の良い材質からなる個々に独立したＬＥＤ取り付け台とＬＥＤからの光を拡散、投光させる導光管などから構成されるＬＥＤ発光部を取り付けることにより前記押し出し材をヒートシンクおよび照明灯の箱体として利用し、1つの独立したLED照明灯を構成させることにより特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供することにある。
【発明の効果】
【０００４】
特別なヒートシンクを必要としないLED取り付け台の取り付け位置設定及び、取り付け取り外しが自由な、低価格なＬＥＤ照明灯を提供できる。
【図面の簡単な説明】
【０００５】
【図１】(1a) LED取り付け台          (2a)導光管支持台          (3a)照明灯箱体（構造用組み立てフレーム材にも適応できる）          (4a)円柱状の導光管
【図２】(1b)導光管支台  正面図          (2b)導光管支台側面断面図          (3b)左右2つの導光管支持台に支持された導光管断面図
【図３】(1c)板ばね左側面図          (2c)板ばね正面図          (3c)板ばね平面図
【図４】板ばね、導光管、導光管支持台を照明灯箱体にまさに嵌めこもうとする斜視図
【図５】(1d)板ばね、導光管、導光管支持台を照明灯箱体に嵌め込んだ後のエンドキャップ接続前左側面図(2d)板ばね、導光管、導光管支持台を照明灯箱体に嵌め込んだ後のエンドキャップ接続前正面図(3d) 板ばね、Xだけ短い導光管と導光管支持台を照明灯箱体に嵌め込んだ後のエンドキャップ接続前正面図
【図６】フレームに構成したLED照明灯の導光管からの光の拡散、投光図
【図７】2つの導光管（11）を構成するLED照明灯を照明灯箱体に嵌め込む図
【図８】図7におけるLED照明灯嵌め込み接続後図
【図９】筐体を構成する照明灯箱体に本発明のLED照明灯を組み込んだ図
【発明を実施するための形態】
【０００６】
以下、本発明の実施の形態を、図を使用して説明する。（以下図面において本発明に関する部のみ図示しその他は図を省略する）
【０００７】
図1の図(1a)において(1)は、本発明による、LED照明灯を構成するアルミニューム押し出し材などから作られるLEDを取り付けるLED取り付け台の押し出し方向からの図である。前記LED取り付け台(1)の凸状部(3)は図(3a)に示されている、対応する押し出し材からなる照明灯箱体(6)の凹状部(9)よりやや小さく作られている、溝部の(2)は前記LED取り付け台（1）を前記照明灯箱体（6）に嵌めこんだとき取り付け台（1）が照明灯箱体（6）にしっかりと接するようにするためのばね（図3にて説明）を嵌めるばね溝(2)である、このばねの圧縮応力によりLED取り付け台（1）と照明灯箱体（6）は常に強く接触、接続することにより、接触抵抗が小さくなりLEDが発した前記LED取り付け台（1）への熱は、ヒートシンクの役割を果たす照明灯箱体により伝導されやすくなり前記照明灯箱体（6）より放熱される。また、ばねにより接続されているのでLED取り付け台（1）の照明灯箱体（6）への取り付けも取り付け位置変化においても特別な工具を必要としない。
【０００８】
図(2a)は、前記LED取り付け台（1）に取り付けられたLEDが発する光を拡散、投光するためのレンズの役割をする本LED照明灯の投光部となる導光管（11）を支持するためのプラスチックまたは金属などの導光管支持台（5）であり、前記導光管支持台(5)には導光管（11）を支持するための導光管支持穴(4)が設けられている。
図(3a)は、押し出し材などから作られる,本発明のLED照明灯の本体（照明灯箱体）に該当する、構造用フレーム材などにも使用できる照明灯箱体（6）の押し出し方向からの図である、前記LED取り付け台（1）の左右に設けられた溝は、照明灯箱体（6）の溝部を蓋する上蓋用溝（7）であり、前記上蓋溝（7）下の左右に設けられた穴はエンドキャップ接続用のネジ穴（8）である。
図(4a)は、アクリルやガラスなどから作られる透明な円柱状の導光管（11）であり、導光管にはLEDからの光を拡散、投光するための反射部（12）が設けられている。
【０００９】
図面2における図(1b)は、導光管支持台（5）の正面図であり図(2b)はその右側面の断面図である、柱状の導光管（11）を支持する導光管支持穴（4）内部には、オーリングが設けられている、図(3b)は、2個の導光管支持台（5）で1つの導光管(11)を支持している図の断面図である、オーリングにて円柱状の導光管(11)両端を支持しているので、導光管（11）を指などで回転させ場合、オーリングの摩擦で回転位置を保持できるため前記導光管（11）の反射部（12）の位置が変わり投光角度を自由に設定できる。オーリングの変わりに導光管の回転時に導光管回転軸に摩擦を与えるオイルシールなどでも可能である
図3における図(1c)は、ＬＥＤ取り付け台(1)のばね溝（2）に嵌め込むばね鋼などからなる板ばね（13）の右側面図である、この板ばね（13）のたわみ部分（14）が照明灯箱体（6）の底部(10)により高さ（ｈ）が圧縮されることによりＬＥＤ取り付け台（1）と照明灯箱体（6）を常にこの圧縮応力で接触させることができる、このばね力によりＬＥＤ取り付け台（1）からの熱を照明灯箱体（6）に熱伝導する際生じる接触抵抗を小さくできるまた、力を加えてばねをたわませ幅(ｈ)の値を小さくすることによりＬＥＤ取り付け台（1）の照明灯箱体（6）上の位置を特別な工具を使わず自由に設定できるので導光管（11）の長さを変えられることができる、図(2c)は、板ばね（13）の正面図で凸部分（15）は対応するLED取り付け台（1）の溝部（2）に差し込む凸部である、図(3c)は平面図である。
【００１０】
図4は、2個のＬＥＤ取り付け台(1),導光管支持台(5),板ばね(13)、エンドキャップと1つの照明灯箱体（6）と1つの導光管(11)を矢印の方向に嵌め込み接続し1つの独立したLED照明塔を組み立てようとする図の斜視図である。
図5の図(1d)は、嵌め込み後のエンドキャップを接続する前の左側面図であり、板ばね（13）の力(F1)は照明灯箱体（6）の底部（10）に作用してその反作用の力(F)はLED取り付け台（1）の凸上部（3）で照明灯箱体（6）を押しつける、図(2d)は、正面図である(L)はLED照明灯の全長を表す。図(3d)は、LED取り付け台（1）を移動してXだけ短い導光管（11）を取り付けた場合の図である。
図6は、ＬＥＤからの光がＬＥＤから発せられた後、導光管（11）内を反射した後、反射板（12）に反射して導光管（11）の外部に投光される図である。
図7は、2つの導光管（11）と左右に2つのＬＥＤを取り付けた1つのＬＥＤ取り付け台（1）、とLEDを片側に取り付けた2つのLED取り付け台（1）4つの導光管支持台(5)と3の板ばね（13）を1つの照明灯箱体（6）に嵌め込むことにより、2つの独立した発光部を持つ本発明による照明灯を製作する斜視図である
図8は図7においてのエンドキャップ接続前の嵌め込み後の本発明によるLED照明灯（A）完成図である
図9は、複数のアルミニューム押し出し材などからなる構造用フレーム材を組み立て製作した箱体（16）であり、このうちのLED取り付け台（1）を嵌め込み接続できる押し出し開口部を備えた1つのフレーム材を照明灯箱体として本発明のLED照明灯（A）を設置した図である。本発明によるＬＥＤ照明灯は、商品陳列棚や工場における設備の一部の押し出し材からなるフレームにＬＥＤ取り付け台（1）と対応する開口部を設ければそこに必要に応じたサイズのＬＥＤ照明灯を必要なだけ数内蔵設置することができる。
【産業上の利用可能性】
【００１１】
LED照明灯構造として利用できる。
【符号の説明】
【００１２】
1.     
LED取り付け台
2.     
ばね溝
3.     
取り付け台の凸状部(3)
4.     
導光管支持穴
5.     
導光管支持台
6.     
照明灯箱体
7.     
上蓋用溝
8.     
ねじ穴
9.     
凹状部
10. 底部
11. 導光管
12. 反射部
13. 板ばね
14. 板ばねたわみ部
15. ばね溝（2）に嵌め込む、凸部分
16. レーム材を組み立て製作した箱体
ｈ  ばね高さ
L  エンドキャップ接続前の本発明によるLED照明灯全長
X  導光管を短くしたLED照明灯
A  本発明によるLED照明灯
F  フレーム上部を押す力
F1  フレーム底面を押すばねからの力
【図１】
2012079673.tif 000003
【図２】
2012079673.tif 000004
【図３】
2012079673.tif 000005
【図４】
2012079673.tif 000006
【図５】
2012079673.tif 000007
【図６】
2012079673.tif 000008
【図７】
2012079673.tif 000009
【図８】
2012079673.tif 000010
【図９】
2012079673.tif 000011